(57)【要約】【課題】画像処理装置の記憶容量を節約しつつ、画像データに含まれる重要事項の漏洩、オリジナルの画像データの流出を防止する。【解決手段】情報付加部１６ｂが画像処理装置１０の装置情報、画像特定情報を画像データに付加し、記憶部１５が画像データの表示画像の特定領域の画像データを画像特定情報と対応付けて記憶し、画像データ上書部１６ｃが特定領域の画像データを代替画像のデータで上書きし、画像データ出力部１６ｄがその画像データを出力し、画像データ取得部１６ｅが新たな画像データを取得し、情報判定部１６ｆが新たな画像データに装置情報が付加されている場合、装置情報を情報付加部１６ｂが付加したかを判定し、画像データ復元部１６ｇが装置情報を情報付加部１６ｂが付加した場合、新たな画像データの画像特定情報に基づき記憶部１５から読み出した画像データで、新たな画像データの表示画像の特定領域の画像データを上書きする。【選択図】図１
2013183320.tif 000002
【特許請求の範囲】
【請求項１】
画像データに対して画像処理を行う画像処理装置であって、
前記画像処理装置に固有の装置情報、および、前記画像データに固有の画像特定情報を前記画像データに付加する情報付加部と、
前記画像データを用いて表示される画像の特定領域の画像データを前記画像特定情報と対応付けて記憶する記憶部と、
前記特定領域の画像データを代替画像の画像データで上書きする画像データ上書部と、
該画像データ上書部により前記特定領域の画像データが上書きされた画像データを出力する画像データ出力部と、
新たな画像データを取得する画像データ取得部と、
該画像データ取得部により新たに取得された画像データに、画像処理装置に固有の装置情報が付加されている場合に、該装置情報が前記情報付加部により付加されたものであるか否かを判定する情報判定部と、
該情報判定部により前記装置情報が前記情報付加部により付加されたものであると判定された場合に、前記新たに取得された画像データに付加されている画像特定情報に基づいて、前記記憶部から前記特定領域の画像データを読み出し、読み出した画像データで前記新たに取得された画像データを用いて表示される画像の前記特定領域の画像データを上書きする画像データ復元部と、
を備えることを特徴とする画像処理装置。
【請求項２】
前記代替画像の画像データのフォーマットは、前記画像データにおける前記特定領域の画像データと同じフォーマットであることを特徴とする請求項１に記載の画像処理装置。
【請求項３】
前記情報判定部は、前記新たに取得された画像データに付加された装置情報が、前記情報付加部が付加した装置情報と一致する場合に、前記新たに取得された画像データに付加された装置情報が前記情報付加部により付加されたものであると判定することを特徴とする請求項１または２に記載の画像処理装置。
【請求項４】
前記画像データ復元部は、前記新たに取得された画像データに付加された画像特定情報と一致する画像特定情報に対応付けて前記記憶部に記憶されている前記特定領域の画像データを前記記憶部から読み出すことを特徴とする請求項１〜３のいずれか１項に記載の画像処理装置。
【請求項５】
前記記憶部は、前記画像特定情報に対応付けて、前記特定領域の画像データを複数記憶することを特徴とする請求項１〜４のいずれか１項に記載の画像処理装置。
【請求項６】
前記画像データ復元部は、前記新たに取得された画像データから該画像データに付加されている前記装置情報および前記画像特定情報を削除することを特徴とする請求項１〜５のいずれか１項に記載の画像処理装置。
【請求項７】
前記画像データ復元部は、前記記憶部から前記特定領域の画像データを読み出した後、読み出した該特定領域の画像データ、および、該特定領域の画像データに対応付けて記憶された前記画像特定情報を前記記憶部から削除することを特徴とする請求項１〜６のいずれか１項に記載の画像処理装置。
【請求項８】
前記装置情報は、ＭＡＣアドレス、または、シリアル番号であることを特徴とする請求項１〜７のいずれか１項に記載の画像処理装置。
【発明の詳細な説明】
【技術分野】
【０００１】
本発明は、画像データに対して画像処理を行う画像処理装置に関する。
【背景技術】
【０００２】
近年、クラウドコンピューティングのサービスの提供が開始され、クラウドサーバなどの共有領域に画像データなどを保存することが行われるようになっている。しかし、共有領域に保存された画像データは他人が容易に取得できるため、不正な流用がなされる危険性がある。
【０００３】
例えば、特許文献１には、画像処理を行った装置の情報を画像データに順次埋め込むことにより、不正な流用を行った者を特定可能な技術が開示されている。このような技術を用いることにより、画像データの不正流用を抑止する効果が期待できる。
【先行技術文献】
【特許文献】
【０００４】
【特許文献１】特開２０００−３５００１２号公報
【発明の概要】
【発明が解決しようとする課題】
【０００５】
しかしながら、上述した特許文献１の従来技術では、画像データに重要事項が含まれていたとしても、その表示を禁止するような処理が行われないため、重要事項の漏洩を確実に防止することは困難である。また、オリジナルの画像データを他人が入手することを防止したい場合であっても、他人が容易にそれを入手できてしまう。
【０００６】
本発明は、上記実情に鑑み、画像データに含まれる重要事項が漏洩してしまうこと、また、オリジナルの画像データを他人が入手することを確実に防止することが可能な画像処理装置を提供することを目的とする。
【課題を解決するための手段】
【０００７】
上記課題を解決する為に、本発明の第１の技術手段は、画像データに対して画像処理を行う画像処理装置であって、前記画像処理装置に固有の装置情報、および、前記画像データに固有の画像特定情報を前記画像データに付加する情報付加部と、前記画像データを用いて表示される画像の特定領域の画像データを前記画像特定情報と対応付けて記憶する記憶部と、前記特定領域の画像データを代替画像の画像データで上書きする画像データ上書部と、該画像データ上書部により前記特定領域の画像データが上書きされた画像データを出力する画像データ出力部と、新たな画像データを取得する画像データ取得部と、該画像データ取得部により新たに取得された画像データに、画像処理装置に固有の装置情報が付加されている場合に、該装置情報が前記情報付加部により付加されたものであるか否かを判定する情報判定部と、該情報判定部により前記装置情報が前記情報付加部により付加されたものであると判定された場合に、前記新たに取得された画像データに付加されている画像特定情報に基づいて、前記記憶部から前記特定領域の画像データを読み出し、読み出した画像データで前記新たに取得された画像データを用いて表示される画像の前記特定領域の画像データを上書きする画像データ復元部と、を備えることを特徴とする。
【０００８】
本発明の第２の技術手段は、第１の技術手段において、前記代替画像の画像データのフォーマットは、前記画像データにおける前記特定領域の画像データと同じフォーマットであることを特徴とする。
【０００９】
本発明の第３の技術手段は、第１または第２の技術手段において、前記情報判定部は、前記新たに取得された画像データに付加された装置情報が、前記情報付加部が付加した装置情報と一致する場合に、前記新たに取得された画像データに付加された装置情報が前記情報付加部により付加されたものであると判定することを特徴とする。
【００１０】
本発明の第４の技術手段は、第１〜第３のいずれかの技術手段において、前記画像データ復元部は、前記新たに取得された画像データに付加された画像特定情報と一致する画像特定情報に対応付けて前記記憶部に記憶されている前記特定領域の画像データを前記記憶部から読み出すことを特徴とする。
【００１１】
本発明の第５の技術手段は、第１〜第４のいずれかの技術手段において、前記記憶部は、前記画像特定情報に対応付けて、前記特定領域の画像データを複数記憶することを特徴とする。
【００１２】
本発明の第６の技術手段は、第１〜第５のいずれかの技術手段において、前記画像データ復元部は、前記新たに取得された画像データから該画像データに付加されている前記装置情報および前記画像特定情報を削除することを特徴とする。
【００１３】
本発明の第７の技術手段は、第１〜第６のいずれかの技術手段において、前記画像データ復元部は、前記記憶部から前記特定領域の画像データを読み出した後、読み出した該特定領域の画像データ、および、該特定領域の画像データに対応付けて記憶された前記画像特定情報を前記記憶部から削除することを特徴とする。
【００１４】
本発明の第８の技術手段は、第１〜第７のいずれかの技術手段において、前記装置情報は、ＭＡＣアドレス、または、シリアル番号であることを特徴とする。
【発明の効果】
【００１５】
本発明によれば、画像処理装置に固有の装置情報、および、画像データに固有の画像特定情報を画像データに付加し、画像データを用いて表示される画像の特定領域の画像データを画像特定情報と対応付けて記憶部に記憶し、特定領域の画像データを代替画像の画像データで上書きし、特定領域の画像データが上書きされた画像データを出力し、さらに、新たな画像データを取得し、新たに取得された画像データに装置情報が付加されている場合に、装置情報がこの画像処理装置により付加されたものであるか否かを判定し、装置情報がこの画像処理装置により付加されたものであると判定された場合に、新たに取得された画像データに付加されている画像特定情報に基づいて、記憶部から特定領域の画像データを読み出し、読み出した画像データで新たに取得された画像データを用いて表示される画像の特定領域の画像データを上書きすることとしたので、例えば、クラウドサーバの共有領域などに画像データを保存し、保存した画像データを取得して利用する場合に、画像データに含まれる重要事項が漏洩してしまうこと、また、オリジナルの画像データを他人が入手することを確実に防止することができるとともに、画像処理装置に画像データの全体を保存しておく必要がないので、画像処理装置の記憶容量を節約することができる。
【図面の簡単な説明】
【００１６】
【図１】本発明の実施形態に係る画像処理装置の構成の一例を示す図である。
【図２】情報テーブルの一例を示す図である。
【図３】画像の特定領域のデータを代替画像のデータで上書きする処理の一例を示す図である。
【図４】画像の特定領域のデータを代替画像のデータで上書きする処理の別の例を示す図である。
【図５】画像テーブルの一例を示す図である。
【図６】本実施形態に係る画像データ上書処理の処理手順の一例を示すフローチャートである。
【図７】本実施形態に係るデータ復元処理の処理手順の一例を示すフローチャートである。
【発明を実施するための形態】
【００１７】
以下、本発明の実施形態について図面を参照して詳細に説明する。図１は、本発明の実施形態に係る画像処理装置１０の構成の一例を示す図である。ここで、画像処理装置１０とは、ＭＦＰ（Ｍｕｌｔｉｆｕｎｃｔｉｏｎ  Ｐｅｒｉｐｈｅｒａｌ）、パーソナルコンピュータ、スマートフォン、タブレットコンピュータ、デジタルカメラなどの、画像処理を実行可能な装置である。
【００１８】
画像処理装置１０は、入力部１１、表示部１２、ネットワークインターフェース部１３、外部機器接続インターフェース部１４、記憶部１５、制御部１６を備える。
【００１９】
入力部１１は、タッチパッドやマウス、キーボードなどの入力デバイスである。表示部１２は、液晶パネルなどの表示デバイスである。ネットワークインターフェース部１３は、ネットワークを介してクラウドサーバなどの他の装置に接続するインターフェースである。外部機器接続インターフェース部１４は、ＵＳＢ（Ｕｎｉｖｅｒｓａｌ  Ｓｅｒｉａｌ  Ｂｕｓ）メモリなどの外部機器を接続するインターフェースである。
【００２０】
記憶部１５は、メモリやハードディスク装置などの記憶デバイスである。記憶部１５は、情報テーブル１５ａ、画像テーブル１５ｂなどを記憶する。
【００２１】
図２は、情報テーブル１５ａの一例を示す図である。情報テーブル１５ａには、画像特定情報、座標情報、画像ＩＤが登録される。画像特定情報は、画像の特定領域のデータが代替画像のデータで上書きされた画像データを識別するための識別番号である。座標情報は、特定領域の座標の情報である。画像ＩＤは、代替画像の画像データで上書される画像データを識別するための識別番号である。
【００２２】
図３は、画像の特定領域のデータを代替画像のデータで上書きする処理の一例を示す図である。図３（Ａ）には、特定領域２１を含む画像２０が示されている。また、図３（Ｂ）には、「Ｃｏｎｆｉｄｅｎｔｉａｌ」という文字を含む代替画像２２のデータで特定領域２１のデータが上書きされた画像データ２３が示されている。
【００２３】
代替画像２２の画像データのフォーマットには、特定領域２１の画像データと同じフォーマットが用いられる。そのため、フォーマットの相違により画像データ２３全体が視認できなくなることを防止することができる。
【００２４】
図３の例において、情報テーブル１５ａに登録される画像特定情報は、画像２３を識別するための識別番号（図２の「０００１」）であり、座標情報は、特定領域２１の左上の座標の情報（図２の（６７，８８））であり、画像ＩＤは、代替画像２２の画像データで上書きされる特定領域２１の画像データを識別するための識別番号（図２の「２」）である。なお、座標情報は、特定領域２１の位置を決定できる方法であれば、他の方法を用いて決定してもよい。
【００２５】
図４は、画像の特定領域のデータを代替画像のデータで上書きする処理の別の例を示す図である。図４（Ａ）には、２つの特定領域２１を含む画像２０が示されている。ここで、２つの特定領域２１に含まれる情報「ＸＸＸＸ」、「ＹＹＹＹ」は他人に見られるのを防ぎたい情報であるものとする。また、図４（Ｂ）には、黒塗りの２つの代替画像２２のデータで２つの特定領域２１のデータが上書きされた画像データ２３が示されている。
【００２６】
このような場合、情報テーブル１５ａの画像特定情報に対応付けて、座標情報、画像ＩＤがそれぞれ２つ登録される。例えば、図２に示すように、画像特定情報「０００２」に対応付けて、（５０，４０）、（１３０，２５６）という座標情報が、また、「８」、「２９」という画像ＩＤが登録される。
【００２７】
図５は、画像テーブル１５ｂの一例を示す図である。画像テーブル１５ｂには、画像ＩＤ、および、画像データが登録される。画像ＩＤは、情報テーブル１５ｂに登録される画像ＩＤと同様のものである。画像データは、代替画像２２の画像データで上書きされる画像特定領域２１の画像データである。
【００２８】
図２、図５に示したように、１つの画像特定情報「０００２」に複数の画像ＩＤ「８」、「２９」、すなわち、複数の画像データ「ＸＸＸＸ」、「ＹＹＹＹ」を対応付けることが可能である。すなわち、１つの画像２０に複数の特定領域２１が含まれる場合でも、代替画像２２による上書き処理、および、その復元処理を行うことができる。
【００２９】
制御部１６は、画像処理装置１０の各部を制御するＣＰＵ（Ｃｅｎｔｒａｌ  Ｐｒｏｃｅｓｓｉｎｇ  Ｕｎｉｔ）などの制御デバイスである。制御部１６は、表示制御部１６ａ、情報付加部１６ｂ、画像データ上書部１６ｃ、画像データ出力部１６ｄ、画像データ取得部１６ｅ、情報判定部１６ｆ、画像データ復元部１６ｇを備える。
【００３０】
表示制御部１６ａは、画像データの表示部１２における表示を制御する処理部である。情報付加部１６ｂは、画像処理装置１０に固有の装置情報、および、画像データに固有の画像特定情報を画像データに付加する処理部である。
【００３１】
画像処理装置１０に固有の装置情報としては、例えば、ネットワークインターフェース部１３に割り当てられたＭＡＣアドレスや、画像処理装置１０に割り当てられたシリアル番号などの情報が用いられる。これにより、画像処理装置１０を容易に識別することができる。
【００３２】
また、画像データに固有の画像特定情報とは、図２で説明した画像特定情報である。情報付加部１６ｂは、各画像データに対して重複しないように画像特定情報を生成し、その画像特定情報を画像データに付加する。例えば、情報付加部１６ｂは、画像特定情報を、画像自体に影響を及ぼさない画像データのヘッダ領域に付加することとしてもよいし、画像データの一部として付加することとしてもよい。
【００３３】
画像データ上書部１６ｃは、図３、４で説明したようにして、画像データ２０の特定領域２１の画像データを代替画像２２の画像データで上書きする処理部である。
【００３４】
画像データ出力部１６ｄは、画像データ上書部１６ｃにより特定領域２１の画像データが代替画像２２の画像データで上書きされた画像データ２３を、ネットワークインターフェース部１３、あるいは、外部機器インターフェース部１４を介して外部装置に出力する処理部である。
【００３５】
画像データ出力部１６ｄにより、画像データ２３は、クラウドサーバの共有領域に保存されたり、電子メールで送信されたり、あるいは、ＵＳＢメモリなどのモバイルメディアに記憶されて他人に配布される。
【００３６】
なお、画像データ２３には代替画像２２が含まれているので、オリジナルの画像データを他人が入手すること、あるいは、画像データに含まれる重要事項が漏洩してしまうことは確実に防止される。
【００３７】
画像データ取得部１６ｅは、ネットワークインターフェース部１３、あるいは、外部機器インターフェース部１４を介して外部装置から新たな画像データを取得する処理部である。
【００３８】
情報判定部１６ｆは、画像データ取得部１６ｅにより新たに取得された画像データに、上述した装置情報および画像特定情報が付加されている場合に、その装置情報が自装置１０の情報付加部１６ｂにより付加されたものであるか否かを判定する処理部である。
【００３９】
具体的には、情報判定部１６ｆは、新たに取得された画像データに付加されている装置情報が、情報付加部１６ｂが付加した装置情報と一致する場合に、新たに取得された画像データに付加された装置情報が自装置１０の情報付加部１６ｂにより付加されたものであると判定する。
【００４０】
また、情報判定部１６ｆは、新たに取得された画像データに付加されている装置情報が、情報付加部１６ｂが付加した装置情報と一致しない場合に、新たに取得された画像データに付加された装置情報が情報付加部１６ｂにより付加されたものでないと判定する。これにより、装置情報が自装置１０の情報付加部１６ｂにより付加されたものであるか否かを容易に判定することができる。
【００４１】
画像データ復元部１６ｇは、特定領域２１の画像データが代替画像２２の画像データで上書きされた画像データ２３を、もとの画像データ２０に復元する処理部である。
【００４２】
具体的には、画像データ復元部１６ｇは、装置情報が自装置１０の情報付加部１６ｂにより付加されたものであると判定された場合に、新たに取得された画像データに付加されている画像特定情報を画像データから読み出し、読み出した画像特定情報に一致する画像特定情報に対応付けて登録されている座標情報および画像ＩＤを情報テーブル１５ａから読み出す。
【００４３】
また、画像データ復元部１６ｇは、読み出した画像ＩＤに一致する画像ＩＤに対応付けて登録されている画像データを画像テーブル１５ｂから読み出す。これにより、画像テーブル１５ｂに特定領域２１の画像データが複数登録されている場合でも、効率的に特定領域２１の画像データを読み出すことができる。
【００４４】
そして、画像データ復元部１６ｇは、新たに取得された画像データにより表示される画像における特定領域２１を、読み出した座標情報と画像データのサイズから決定する。その後、画像データ復元部１６ｇは、読み出した画像データで特定領域２１の画像データを上書きし、その結果得られた画像データを記憶部１５に記憶する。その後、この画像データに対して、表示や編集がなされることになる。
【００４５】
また、画像データ復元部１６ｇは、新たに取得された画像データからその画像データに付加されている装置情報および画像特定情報を削除する。これにより、画像データを、代替画像２２のデータで上書きされる前の画像データと完全に同一のものとすることができる。また、装置情報や画像特定情報が付加されていると、二重に画像データの復元処理が行われる危険性があるが、装置情報および画像特定情報を削除することによりこれを防止することができる。
【００４６】
さらに、画像データ復元部１６ｇは、情報テーブル１５ａから特定領域２１の座標情報を読み出し、画像テーブル１５ｂから画像データを読み出した後、情報テーブル１５ａからその座標情報、その座標情報に対応する画像特定情報、および、画像ＩＤを削除し、画像テーブル１５ｂからその画像データ、その画像データに対応する画像ＩＤを削除する。このように不要となったデータを削除することにより、装置の誤動作を防止し、記憶容量の圧迫を抑制することができる。
【００４７】
つぎに、本実施形態に係る画像データ上書処理の処理手順について説明する。図６は、本実施形態に係る画像データ上書処理の処理手順の一例を示すフローチャートである。
【００４８】
まず、画像処理装置１０の画像データ上書部１６ｃは、代替画像２２および特定領域２１を設定する（ステップＳ１０１）。例えば、画像データ上書部１６ｃは、入力部１１を介してユーザから代替画像２２の設定、および、特定領域２１の設定を受け付けることにより、上記設定を行う。
【００４９】
続いて、画像データ上書部１６ｃは、代替画像２２の画像データで上書される、もとの画像２０の特定領域２１の画像データを識別するため、その画像データに固有の画像ＩＤを生成する（ステップＳ１０２）。そして、画像データ上書部１６ｃは、その画像ＩＤと、もとの画像２０の特定領域２１の画像データとを画像テーブル１５ｂに登録する（ステップＳ１０３）。
【００５０】
その後、画像データ上書部１６ｃは、もとの画像の特定領域２１の画像データを代替画像２２の画像データで上書きした画像データを生成する（ステップＳ１０４）。そして、情報付加部１６ｂは、生成した画像データに画像処理装置１０の装置情報を付加する（ステップＳ１０５）。
【００５１】
さらに、情報付加部１６ｂは、その画像データを識別するため、その画像データに固有の画像特定情報を生成する（ステップＳ１０６）。そして、情報付加部１６ｂは、生成した画像特定情報をその画像データに付加する（ステップＳ１０７）。
【００５２】
そして、情報付加部１６ｂは、画像特定情報を、画像データ上書部１６ｃは、特定領域２１の座標情報、および、画像ＩＤを情報テーブル１５ａに登録し（ステップＳ１０８）、この画像データ上書処理は終了する。
【００５３】
つぎに、本実施形態に係るデータ復元処理の処理手順について説明する。図７は、本実施形態に係るデータ復元処理の処理手順の一例を示すフローチャートである。
【００５４】
まず、画像処理装置１０の情報判定部１６ｆは、データ復元対象となる画像データに装置情報および画像特定情報が含まれているか否かを判定する（ステップＳ２０１）。装置情報および画像特定情報が含まれていない場合（ステップＳ２０１においてＮＯの場合）、その画像データは代替画像２２で特定領域２１の画像データが上書きされたものではないため、そのままデータ復元処理は終了する。
【００５５】
データ復元対象となる画像データに装置情報および画像特定情報が含まれている場合（ステップＳ２０１においてＹＥＳの場合）、情報判定部１６ｆは、画像データに含まれる装置情報と画像処理装置１０の装置情報とが一致するか否かを判定する（ステップＳ２０２）。
【００５６】
画像データに含まれる装置情報と画像処理装置１０の装置情報とが一致しない場合（ステップＳ２０２においてＮＯの場合）、その画像データは別の画像処理装置１０により生成された画像データであるため、データ復元処理は行われず、そのままデータ復元処理は終了する。
【００５７】
画像データに含まれる装置情報と画像処理装置１０の装置情報とが一致する場合（ステップＳ２０２においてＹＥＳの場合）、画像データ復元部１６ｇは、画像データに含まれる画像特定情報をキーにして、情報テーブル１５ａから座標情報および画像ＩＤを検索する（ステップＳ２０３）。
【００５８】
また、画像データ復元部１６ｇは、検索の結果得られた画像ＩＤをキーにして、画像テーブル１５ｂからもとの画像の特定領域２１の画像データを検索する（ステップＳ２０４）。
【００５９】
そして、画像データ復元部１６ｇは、特定領域２１の画像データをもとの画像の特定領域２１の画像データで上書きした画像データを生成する（ステップＳ２０５）。また、画像データ復元部１６ｇは、生成された画像データから装置情報と画像特定情報とを削除する（ステップＳ２０６）。
【００６０】
その後、画像データ復元部１６ｇは、情報テーブル１５ａから、上記画像特定情報、および、その画像特定情報に対応する座標情報、画像ＩＤを削除する（ステップＳ２０７）。また、画像データ復元部１６ｇは、画像テーブル１５ｂから、上記画像ＩＤ、および、その画像ＩＤに対応する画像データを削除する（ステップＳ２０８）。そして、このデータ復元処理は終了する。
【００６１】
さて、これまで画像処理装置および画像処理方法の実施形態を中心に説明を行ったが、本発明はこれらの実施形態に限定されるものではなく、画像処理装置の機能を実現するためのコンピュータプログラムとしての形態、あるいは、当該コンピュータプログラムが記録されたコンピュータ読み取り可能な記録媒体の形態として本発明が実施されることとしてもよい。
【００６２】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【００６３】
これら記録媒体に上記実施形態における画像処理装置の機能を実現させるコンピュータプログラム、または、画像処理方法をコンピュータに実行させるコンピュータプログラムを記録して流通させることにより、コストの低廉化、及び可搬性や汎用性を向上させることができる。
【００６４】
そして、コンピュータに上記記録媒体を装着し、コンピュータにより記録媒体に記録されたコンピュータプログラムを読み出してメモリに格納し、コンピュータが備えるプロセッサ（ＣＰＵ、ＭＰＵ：Ｍｉｃｒｏ  Ｐｒｏｃｅｓｓｉｎｇ  Ｕｎｉｔ）が当該コンピュータプログラムをメモリから読み出して実行することにより、本実施形態に係る画像処理装置の機能を実現し、画像処理方法を実行することができる。
【００６５】
また、本発明は上述した実施形態に限定されず、本発明の要旨を逸脱しない範囲内で各種の変形、修正が可能である。
【符号の説明】
【００６６】
１０…画像処理装置、１１…入力部、１２…表示部、１３…ネットワークインターフェース部、１４…外部機器接続インターフェース部、１５…記憶部、１５ａ…情報テーブル、１５ｂ…画像テーブル、１６…制御部、１６ａ…表示制御部、１６ｂ…情報付加部、１６ｃ…画像データ上書部、１６ｄ…画像データ出力部、１６ｅ…画像データ取得部、１６ｆ…情報判定部、１６ｇ…画像データ復元部、２０，２３…画像、２１…特定領域、２２…代替画像。
【図１】
2013183320.tif 000003
【図２】
2013183320.tif 000004
【図３】
2013183320.tif 000005
【図４】
2013183320.tif 000006
【図５】
2013183320.tif 000007
【図６】
2013183320.tif 000008
【図７】
2013183320.tif 000009